(57)【要約】      （修正有）【課題】張り布部が水で濡れる事により水を弾く素材と水分を布部に留まる効果を組み合わせ図柄が浮き出たようにそして生地が変化したように視覚的演出することが可能な傘を提供する。【解決手段】傘１０は、石突１８から放射状に延びた複数の骨部材１１と、上記骨部材１１上に張設された、略球冠状の張り布部材１２と、上記石突１８から下方に向かって取り付けられた柄部１３と、上記柄部１３の下端部に延設され、略Ｊ字形状に形成された手元１９とで構成する。また、上記張り布部材１２の所定位置には、図柄が浮き出る隠し絵表示部分１４を設ける。【選択図】図１
0003148155.tif 000002
【実用新案登録請求の範囲】
【請求項１】
雨水を受ける張り布部材が骨部材に取り付けられ、柄部を手で把持して使用する傘であって、
上記張り布部材の表面の所定位置に、水に濡れることによって所定の図柄が出現する隠し絵表示部が設けられたことを特徴とする傘。
【請求項２】
上記張り布部材は、生地材と上記生地材の表面に施された撥水コーティング層と、上記生地材の裏面に施された防水コーティング層とから形成されると共に、
上記隠し絵表示部は、上記生地材の表面において、上記撥水剤コーティング層を有さない部分によって形成されていることを特徴とする請求項１記載の傘。
【請求項３】
上記張り布部材は、生地材と上記生地材の表面に施された撥水コーティング層と、上記生地材の裏面に施された防水コーティング層とから形成されると共に、
上記隠し絵表示部は、上記撥水コーティング層の表面に配設された吸水部材によって形成されていることを特徴とする請求項１記載の傘
【請求項４】
上記生地材は、湿潤時に、乾燥時とは異なる色に変色することを特徴とする請求項２記載の傘。
【請求項５】
上記吸水部材は、湿潤時に、乾燥時とは異なる色に変色することを特徴とする請求項３記載の傘。
【考案の詳細な説明】
【考案の詳細な説明】
【技術分野】
【０００１】本考案は雨天時に使用する傘に関する。
【背景技術】
【０００２】  従来の傘の張り布部材は、単色無模様のものと、所定の図柄が予め描画されているものとが存在していた。【０００３】  雨天時に傘をさして外出することは、晴天時の外出と比べて面倒であると共に、傘は雨よけを目的とした機能が重視されており、上記傘の張り布部材のデザインは無模様、若しくは決まった図柄模様のものが一般的であった。
従って、傘を開いた場合の視覚的インパクトが少なかった。
【考案の開示】
【考案が解決しようとする課題】
【０００４】本考案の解決課題は、張り布部材が水で濡れることにより視覚的な興趣が得られ、外観的品質が良好な傘を提供することにある。
【課題を解決するための手段】
【０００５】上記課題を解決するために、請求項１記載の考案に係る傘は、雨水を受ける張り布部材が骨部材に取り付けられ、柄部を手で把持して使用する傘であって、上記張り布部材の表面の所定位置に、水に濡れることによって所定の図柄が出現する隠し絵表示部が設けられたことを特徴とする。【０００６】従って、雨天時に傘を開くと、上記張り布部材が湿潤し、上記隠し絵表示に所定の図柄が現れる。【０００７】  また、請求項２記載の考案に係る傘は、上記張り布部材は、生地材と上記生地材の表面に施された撥水コーティング層と、上記生地材の裏面に施された防水コーティング層とから形成されると共に、上記隠し絵表示部は、上記生地材の表面において、上記撥水剤コーティング層を有さない部分によって形成されていることを特徴とする。【０００８】  従って、張り布部材の表面において、上記隠し絵表示部の生地材は、雨水が浸入して湿潤し、その他の部分は浸潤しないことから、隠し絵表示部が、その他の部分から視覚的に浮き出た状態となる。【０００９】  また、請求項３記載の考案に係る傘は、上記張り布部材は、生地材と上記生地材の表面に施された撥水コーティング層と、上記生地材の裏面に施された防水コーティング層とから形成されると共に、上記隠し絵表示部は、上記撥水コーティング層の表面に配設された吸水部材によって形成されていることを特徴とする。【００１０】  従って、上記張り布部材の表面において、上記吸水部材が湿潤することで、上記隠し絵表示部がその他の部分から視覚的に浮き出た状態となる。【００１１】  また、請求項４記載の考案に係る傘は、上記生地材は、湿潤時に、乾燥時とは異なる色に変色することを特徴とする。
また、請求項５記載の考案に係る傘は、上記吸水部材は、湿潤時に、乾燥時とは異なる色に変色することを特徴とする。
従って、隠し絵表示部とそれ以外の部分のコントラストがより明確になる。
【考案の効果】
【００１２】請求項１〜６記載の考案においては、雨水に濡れることによって、上記隠し絵表示部に図柄が現れるため、視覚的なインパクトが大きく、外観品質が良好な傘を提供することができる。
特に請求項２記載の考案にあっては、上記張り布部材は、生地材と上記生地材の表面に施された撥水コーティング層と、上記生地材の裏面に施された防水コーティング層とから形成されると共に、上記隠し絵表示部は、上記生地材の表面において、上記撥水剤コーティング層を有さない部分によって形成されていることから、撥水コーティング層の有無によって、任意形状の模様を容易に作成することができる。
また、請求項３記載の考案にあっては、上記張り布部材は、生地材と上記生地材の表面に施された撥水コーティング層と、上記生地材の裏面に施された防水コーティング層とから形成されると共に、上記隠し絵表示部は、上記撥水コーティング層の表面に配設された吸水部材によって形成されていることから、無模様の傘に対しても、上記吸水部材を後から配設することで、一般的な市販品の傘にであっても、隠し絵表示部を容易に付加することが可能となる。
更に請求項４記載の考案にあっては、上記生地材は、湿潤時に、乾燥時とは異なる色に変色する。
また、請求項５記載の考案に係る傘は、上記吸水部材は、乾燥時は上記生地材と同色であると共に、湿潤時は上記生地材と異なる色に変色することから、隠し絵表示部とそれ以外の部分とのコントラストがより明確になり、隠し絵表示部が映えるため、より外観品質が向上する。
【考案を実施するための最良の形態】
【００１３】以下、図を用いて本考案の実施の形態について説明する。
図１に示すように、本実施の形態に係る傘１０は、雨水２０を受ける張り布部材１２が骨部材１１に取り付けられ、柄部１３を手で把持して使用する。
上記張り布部材１２の表面の所定位置には、水に濡れることによって所定の図柄が出現する隠し絵表示部１４が設けられている。
また、図３に示すように、上記張り布部材１２は、水分を吸収して湿潤すると、乾燥時と異色に変色する性質を有する生地材１５と、上記生地材１５の表面１５ａに施された撥水剤コーティング層１６と、上記生地材１５の裏面１５ｂに施された防水コーティング層１７とから形成されると共に、上記隠し絵表示部１４は、上記生地材１５の表面１５ａにおいて、上記撥水コーティング層１６を有しない部分によって形成されている。
【実施例１】
【００１４】本実施の形態に係る傘が、一般的な洋傘である場合を例として、実施例の構成について図面を用いて説明する。
図１に示すように、本実施の形態にかかる傘１０は、石突１８から放射状に延びた複数の骨部材１１と、上記骨部材１１上に張設された、略球冠状の張り布部材１２と、上記石突１８から下方に向かって取り付けられた柄部１３と、上記柄部１３の下端部に延設され、略Ｊ字形状に形成された手元１９とから構成されている。
また、上記張り布部材１２の所定位置には、図柄が浮き出る隠し絵表示部分１４が設けられている。
また、図３に示すように、上記張り布部材１２は、合成繊維布等で形成された生地材１５と、上記生地材１５の表面１５ａに施された、透明、若しくは上記生地材１５と同色の撥水コーティング層１６と、上記生地材１５の裏面１５ｂに施された防水コーティング層１７とから形成されている。
また、上記張り布部材１２の表面において、上記隠し絵表示部１４の図柄描画部１４ａは、上記撥水コーティング層１６を有していない。
また、図３に示すように、上記の通り撥水コーティング層１６は透明、又は上記生地材１５と同色に形成されていることから、上記生地材１５が乾燥した状態においては、図２に示すように、隠し絵表示部１４とそれ以外の部分が同色となるため、上記隠し桧表示部１４は視認されない。【００１５】  上記実施例の作用について以下説明する。
図１に示すように、雨天時に傘１０を開いた場合は、張り布部材１２表面に雨水２０が降り注ぐ。
上記撥水コーティング層１６を有する部分については、上記撥水コーティング層１６によって雨水２０が弾かれるため、生地材１５が湿潤することが無い。
しかしながら、上記隠し絵表示部１４の図柄描画部１４ａについては、上記撥水コーティング層１６を有していないため、生地材１５に直接雨水２０が当たり、上記図柄描画部１４ａの生地材１５は、内部に雨水が浸透して湿潤する。
これにより、上記図柄描画部１４ａに対応する部分のみ、上記生地材１５が変色し、上記張り布部材１２の表面に、上記図柄描画部１４ａによる特定の図柄が浮き出る。
また、上記傘１０の使用後は、上記生地材１５を乾燥させることで、上記生地材１５の変色は回復し、図柄が消失する。
従って、使用時にのみ図柄が現れることで、視覚的インパクトが大きく、従来の傘と比較して外観品質が良好な傘を提供することができる。
【実施例２】
【００１６】上記隠し絵表示部１４は、図４に示すように、描画する図柄の形状に合わせて形成された吸水部材２１を、張り布部材１２の撥水コーティング層１６上に配設することで形成することもできる。
上記吸水部材２１は、乾燥時には透明、又は張り布部材１２と同色であり、雨水の水分を吸収して湿潤すると、乾燥時とは異色に変色する性質を有している。
従って、上記吸水部材２１が乾燥した状態においては、図２に示すように、隠し絵表示部１４は視認されない。【００１７】  図４に示すように、張り布部材１２表面に雨水２０が降り注ぐと、上記吸水部材２１に雨水２０が浸透して湿潤する。
これにより、上記吸水部材２１が変色し、上記張り布部材１２の表面に特定の図柄が浮き出る。
また、上記傘１０の使用後は、上記吸収部材２１を乾燥させることで、上記吸収部材２１の変色は回復し、図柄が消失する。
従って、実施例１と同様の効果を得ることができる。【００１８】なお、張り布部材１２の隠し絵表示部１４以外の部分については、色彩及び模様の有無の制約は無く、例えば予め模様を付しておき、水に濡れることで、上記隠し絵表示部１４が現れることで、上記模様との組み合わせによって別の模様に変化するような構成とした場合であっても、上記実施例と同様の作用効果を得ることが可能である。
また、実施例においては隠し絵表示部１４により描画されるのは、図柄であるとしているが、図柄の他、特定の文字であっても、作用効果は同一である。【００１９】  また、隠し絵表示部の構造については、上記実施例に示した構造に限定されるものではなく、例えば、上記実施例１及び２の隠し絵表示部の構造を複数箇所において併用した構造としても良い。
【産業上の利用可能性】
【００２０】本考案は、雨天時に使用する傘において広く適用が可能である。
【図面の簡単な説明】
【００２１】
【図１】本考案に係る傘の一実施の形態を示し、実施例の構成において、雨天時に傘を開いた場合の全体側面図である。
【図２】本考案に係る傘の一実施の形態を示し、実施例の構成において、雨天時以外に傘を開いた場合の全体側面図である。
【図３】本考案に係る傘の一実施の形態を示し、実施例１の構成における隠し絵表示部の拡大断面図である。
【図４】本考案に係る傘の一実施の形態を示し、実施例２の構成における隠し絵表示部の拡大断面図である。
【符号の説明】
【００２２】１０  傘
１１  骨部材
１２  張り布部材
１３  柄部
１４  隠し絵表示部
１４ａ  図柄描画部
１５  生地材
１５ａ  生地材の表面側
１５ｂ  生地材の裏面側
１６  撥水コーティング層
１７  防水コーティング層
１８  石突
１９  手元
２０  雨水
２１  吸水部材
【図１】
0003148155.tif 000003
【図２】
0003148155.tif 000004
【図３】
0003148155.tif 000005
【図４】
0003148155.tif 000006